(57)【要約】【課題】深い位置でのコネクタ接続を行うためのコネクタ押し込みプロテクタを提供する。【解決手段】コネクタ押し込みプロテクタ２１は、ワイヤハーネス２２の端末及びこの端末に設けられるコネクタ２３に対して着脱自在となるように構成されている。コネクタ押し込みプロテクタ２１は、ワイヤハーネス２２の端末及びコネクタ２３に取り付くとコネクタ２３の全長を擬似的にのばす本体２４と、ヒンジを介して本体２４に一体となるカバー２６とを備えて構成されている。本体２４は、略コ字状の壁部２７と、押圧部２８と、ズレ止め枠部２９と、ハーネス引き出し口３０と、ハーネス収納空間３１と、テープ巻き部３２とを有している。【選択図】図１
2008123794.tif 000002
【特許請求の範囲】
【請求項１】
ワイヤハーネス端末及びこの端末に設けられるコネクタに対して着脱自在であり、取り付くと深い位置でのコネクタ接続に対応可能に前記コネクタの全長を擬似的にのばす本体を備え、
該本体は、この一端側に前記コネクタのコネクタハウジングに接触する一又は複数の押圧部を有するとともに、他端側に前記ワイヤハーネス端末を引き出すハーネス引き出し口を有し、さらに、前記押圧部と前記ハーネス引き出し口との間の本体内部に前記ワイヤハーネス端末を収納するハーネス収納空間を有するとともに、前記ハーネス引き出し口の開口縁に前記ワイヤハーネス端末を固定する一又は複数のテープ巻き部を有する
ことを特徴とするコネクタ押し込みプロテクタ。
【請求項２】
請求項１に記載のコネクタ押し込みプロテクタにおいて、
前記本体に嵌合し前記ハーネス収納空間を覆うカバーを更に備える
ことを特徴とするコネクタ押し込みプロテクタ。
【請求項３】
請求項２に記載のコネクタ押し込みプロテクタにおいて、
前記カバーは前記コネクタハウジングに接触する第二押圧部を有する
ことを特徴とするコネクタ押し込みプロテクタ。
【請求項４】
請求項１ないし請求項３いずれか記載のコネクタ押し込みプロテクタにおいて、
前記本体は前記コネクタハウジングの空き端子収容室に差し込まれランスにて係止されるロックアームを有する
ことを特徴とするコネクタ押し込みプロテクタ。
【請求項５】
請求項１ないし請求項４いずれか記載のコネクタ押し込みプロテクタにおいて、
前記テープ巻き部をコネクタ押し込み時における作業者の摘み部として兼用する
ことを特徴とするコネクタ押し込みプロテクタ。
【発明の詳細な説明】
【技術分野】
【０００１】
本発明は、コネクタ接続に関し、詳しくは、深い位置でコネクタ接続を行う際に用いるコネクタ押し込みプロテクタに関する。
【背景技術】
【０００２】
自動車等の移動体に搭載される電気接続箱（ジャンクションブロック等を含む）は、移動体の各所に電力や信号を分配・供給するためのものであって、電気接続箱本体と、この電気接続箱本体の上面開口を覆うアッパーカバーと、下面開口を覆うロアーカバーとを備えて構成されている。電気接続箱本体は、外壁によって上記の上面開口が形成されており、この上面開口から臨む奥壁側にワイヤハーネス端末のコネクタを接続するためのコネクタ接続部や、ヒュージブルリンク、ヒューズを接続するためのヒューズ接続部や、電子部品を接続するための電子部品接続部等が所狭しと設けられている（例えば下記特許文献１参照）。
【０００３】
以下、図面を参照しながら電気接続箱本体についてもう少し詳しく説明する。図１４において、電気接続箱本体１は、外壁２により囲まれる構造を有しており、この外壁２の上端によって上面開口３が形成されている。上面開口３を介して臨む底壁側には、コネクタ接続部４が設けられている。また、このコネクタ接続部４の周囲には、他の部品５、６等の接続部７、８や、隔壁９及び複数のリブ１０等が設けられている。外壁２は、部品５、６等の保護も兼ねることから、底壁から上面開口３までの高さが比較的高くなるように形成されている。
【０００４】
コネクタ接続部４には、図中に示す如くコネクタ１１が接続されている。コネクタ１１は、コネクタ接続部４に差し込まれるような格好で接続されている。コネクタ１１は、ワイヤハーネス１２の端末に設けられている。ワイヤハーネス１２は、外壁２の切り欠き部１３を介して外部へ引き出されるようになっている。コネクタ１１は、特に図示しないが、複数の接続端子を有しており、この接続端子一つひとつに細い電線が接続されている。ワイヤハーネス１２は、複数の電線を束ねて構成されている（図中の場合は細い電線が１０本程度）。
【特許文献１】特開２００５−２６９８６２号公報
【発明の開示】
【発明が解決しようとする課題】
【０００５】
ワイヤハーネス１２の端末のコネクタ１１をコネクタ接続部４に差し込み接続するためには、コネクタ１１のコネクタハウジングを作業者が指で摘みながらコネクタ接続部４に向けて真っ直ぐに差し込んでいくという作業を行う必要があるが、この作業は非常に難作業であって、これが問題点になっている。すなわち、外壁２の高さが高いほどコネクタ接続部４の位置が奥深くなり、これに伴って作業者の手が部品５、６や隔壁９やリブ１０等に接触し易くなることから、なかなかコネクタ１１を接続することができず、難作業となっている。
【０００６】
奥深い位置での接続作業は、コネクタ１１の差し込み（押し込み）が不十分になり易く、差し込みが不十分となる場合には、電気的な接続が不完全になってしまうという恐れを有している。作業者の手が接触することを避けるために、コネクタハウジングでなくワイヤハーネス１２の端末を持って作業を行うようにすると、図１５中の太線Ａで示すように、ワイヤハーネス１２に撓みが生じて力が逃げてしまうことから、結果、コネクタ接続をすることができないという問題点を有している。
【０００７】
本発明は、上述した事情に鑑みてなされたもので、深い位置でのコネクタ接続を行うためのコネクタ押し込みプロテクタを提供することを課題とする。
【課題を解決するための手段】
【０００８】
上記課題を解決するためになされた請求項１記載の本発明のコネクタ押し込みプロテクタは、ワイヤハーネス端末及びこの端末に設けられるコネクタに対して着脱自在であり、取り付くと深い位置でのコネクタ接続に対応可能に前記コネクタの全長を擬似的にのばす本体を備え、該本体は、この一端側に前記コネクタのコネクタハウジングに接触する一又は複数の押圧部を有するとともに、他端側に前記ワイヤハーネス端末を引き出すハーネス引き出し口を有し、さらに、前記押圧部と前記ハーネス引き出し口との間の本体内部に前記ワイヤハーネス端末を収納するハーネス収納空間を有するとともに、前記ハーネス引き出し口の開口縁に前記ワイヤハーネス端末を固定する一又は複数のテープ巻き部を有することを特徴としている。
【０００９】
このような特徴を有する本発明によれば、コネクタ接続部へのコネクタ接続の前に、接続するためのコネクタに対して取り付けを行うと、コネクタの全長が本発明のコネクタ押し込みプロテクタによって恰ものびたような状態になる。そして、この状態で本発明のコネクタ押し込みプロテクタを摘みながらコネクタ接続を行うと、奥深い位置でのコネクタ接続の作業であっても、また、コネクタ接続部の周囲に十分なスペースが無い場合であっても、簡単にコネクタ接続をすることが可能になる。本発明のコネクタ押し込みプロテクタを使用することにより、コネクタはコネクタ接続部に対して完全に電気的な接続状態が得られるまで差し込み（押し込み）することが可能になる。
【００１０】
本発明によれば、ワイヤハーネス端末をテープ巻き部でテープ巻きして固定をする構造になることから、ワイヤハーネス端末やコネクタからの脱落を確実に防止することが可能になる。これにより、作業性及び信頼性を高めることも可能になる。
【００１１】
請求項２記載の本発明のコネクタ押し込みプロテクタは、請求項１に記載のコネクタ押し込みプロテクタにおいて、前記本体に嵌合し前記ハーネス収納空間を覆うカバーを更に備えることを特徴としている。
【００１２】
このような特徴を有する本発明によれば、カバーを閉じることにより、ハーネス収納空間に収納されるワイヤハーネスの端末を、より良く保護することが可能になる。また、カバーを閉じることにより、本発明のコネクタ押し込みプロテクタの剛性が高まることから、確実にコネクタを押し込むことが可能になる。さらに、カバーを閉じることにより、本発明のコネクタ押し込みプロテクタが摘み易い状態になり、作業性を高めることが可能になる。カバーは、本体に対して嵌合することから、作業中に簡単に開いてしまうような不具合が発生することはない。
【００１３】
請求項３記載の本発明のコネクタ押し込みプロテクタは、請求項２に記載のコネクタ押し込みプロテクタにおいて、前記カバーは前記コネクタハウジングに接触する第二押圧部を有することを特徴としている。
【００１４】
このような特徴を有する本発明によれば、コネクタ接続の最中に作業者からの力を安定した状態でコネクタハウジングに伝達させることが可能になる。
【００１５】
請求項４記載の本発明のコネクタ押し込みプロテクタは、請求項１ないし請求項３いずれか記載のコネクタ押し込みプロテクタにおいて、前記本体は前記コネクタハウジングの空き端子収容室に差し込まれランスにて係止されるロックアームを有することを特徴としている。
【００１６】
このような特徴を有する本発明によれば、コネクタに対する取り付けの際にロックアームがコネクタハウジングの空き端子収容室に差し込まれて係止される。これによりコネクタ押し込みプロテクタは、ロックアームを介してコネクタに係止され、特にテープ巻きによる固定がなされるまでの間、コネクタとの位置ズレが防止される。
【００１７】
請求項５記載の本発明のコネクタ押し込みプロテクタは、請求項１ないし請求項４いずれか記載のコネクタ押し込みプロテクタにおいて、前記テープ巻き部をコネクタ押し込み時における作業者の摘み部として兼用することを特徴としている。
【００１８】
このような特徴を有する本発明によれば、テープ巻き部を摘みながら、又はテープ巻き部とこれに固定されるワイヤハーネスとを摘みながらコネクタ接続の作業を行うことが可能になる。これにより、コネクタからより離れた位置で作業をすることができるようになり、奥深い位置でのコネクタ接続の作業であっても、一層簡単にコネクタ接続をすることが可能になる。
【発明の効果】
【００１９】
請求項１に記載された本発明によれば、コネクタの全長を恰ものばすことから、深い位置でのコネクタ接続を行うことができるという効果を奏する。これにより、作業性を高めることができるという効果を奏する。また、本発明によれば、テープ巻きによる固定により、ワイヤハーネス端末やコネクタからの脱落を確実に防止することができるという効果を奏する。
【００２０】
請求項２に記載された本発明によれば、カバーによってワイヤハーネスの端末をより良く保護することができるという効果を奏する。また、剛性を高めて確実にコネクタを押し込むことができるという効果を奏する。さらに、摘みやすい状態にして作業性を高めることができるという効果を奏する。
【００２１】
請求項３に記載された本発明によれば、カバーの第二押圧部によってコネクタを均等に近い状態で押圧することができるという効果を奏する。これにより、コネクタをより一層確実に押し込むことができるという効果を奏する。
【００２２】
請求項４に記載された本発明によれば、ロックアームによってコネクタとの位置ズレを防止することができるという効果を奏する。これにより、作業性を高めることができるという効果を奏する。
【００２３】
請求項５に記載された本発明によれば、テープ巻き部を摘み部として兼用することにより、作業性をより一層高めることができるという効果を奏する。
【発明を実施するための最良の形態】
【００２４】
以下、図面を参照しながら説明する。図１は本発明のコネクタ押し込みプロテクタの一実施の形態を示す斜視図（コネクタＡＳＳＹ後の斜視図）である。また、図２はコネクタＡＳＳＹ前の状態を示す分解斜視図、図３はカバーを開いた状態の状態を示す斜視図、図４はコネクタＡＳＳＹ後の状態を示す断面図、図５はコネクタ接続後の状態を示す斜視図、図６はコネクタ接続部周囲の状態を示す斜視図である。
【００２５】
図１において、引用符号２１は本発明のコネクタ押し込みプロテクタを示している。コネクタ押し込みプロテクタ２１は、ワイヤハーネス２２の端末及びこの端末に設けられるコネクタ２３に対して着脱自在となるように構成されている。コネクタ押し込みプロテクタ２１は、ワイヤハーネス２２の端末及びコネクタ２３に取り付くとコネクタ２３の全長を擬似的にのばす本体２４と、ヒンジ２５（図２参照）を介して本体２４に一体となるカバー２６とを備えて構成されている。
【００２６】
コネクタ押し込みプロテクタ２１は、合成樹脂材料の射出成形によりなる一つの部品であって、例えば図示のような形状に形成されている。以下、図１ないし図３を参照しながらコネクタ押し込みプロテクタ２１の各構成について説明する。
【００２７】
本体２４は、三つの壁からなる略コ字状の壁部２７と、押圧部２８と、ズレ止め枠部２９と、ハーネス引き出し口３０と、ハーネス収納空間３１と、テープ巻き部３２とを有している。本体２４は、壁部２７の高さＨ及びテープ巻き部３２を含めた高さＨ′（コネクタ２３の全長方向となる高さ）が所望の高さとなるように形成されている。
【００２８】
壁部２７は、コネクタ２３のコネクタハウジング３３の形状に合わせて形成されている。壁部２７は、コネクタハウジング３３の壁の長辺側に対応する長辺対応壁３４と、コネクタハウジング３３の壁の短辺側に対応する短辺対応壁３５、３６とを有している。一方の短辺対応壁３５には、ヒンジ２５を介してカバー２６が連成されている。また、他方の短辺対応壁３６には、カバー２６を係止するための係止突起３７が形成されている。
【００２９】
壁部２７の一端（図中では下側の端部）は、コネクタハウジング３３の後側の壁に接触する部分として形成されている。この壁部２７の一端は、本体２４の押圧部２８としても形成されている。押圧部２８は、コネクタ接続の作業の際の押し込みの力をコネクタ２３に掛ける部分としての機能を有している。押圧部２８は、本形態において、コネクタハウジング３３のロッキングアーム保護部３８にまで接触してこれを押圧することができるよう形成されている。
【００３０】
ズレ止め枠部２９は、壁部２７の一端に連続するように、言い換えれば押圧部２８に連続するように形成されている。ズレ止め枠部２９は、本形態においてズレ方向（例えばコネクタ押し込みプロテクタ２１やコネクタ２３の中心軸に直交する方向）の力が加わると、コネクタハウジング３３の壁の短辺側とロッキングアーム保護部３８とに引っ掛かるように形成されている。ズレ止め枠部２９は、コネクタ押し込みプロテクタ２１がコネクタ２３に取り付いた状態でこのコネクタ押し込みプロテクタ２１がズレてしまわないようにするために形成されている（形成は任意である。形成することが好ましいものとする）。
【００３１】
壁部２７の他端（図中では上側の端部）は、壁部２７の形状から略コ字状に開口するようになっている。壁部２７の他端は、ワイヤハーネス２２の端末を引き出すためのハーネス引き出し口３０として形成されている。このようなハーネス引き出し口３０の開口縁には、テープ巻き部３２が連成されている。テープ巻き部３２は、他方の短辺対応壁３６の側に連成されている（配置は一例であるものとする）。テープ巻き部３２は、短冊状に形成されている。
【００３２】
ハーネス収納空間３１は、壁部２７の一端と他端との間となる本体内部の空間であって、ワイヤハーネス２２の端末を収納することができるようになっている。ハーネス収納空間３１は、言い換えれば押圧部２８とハーネス引き出し口３０との間に形成される空間となっている。
【００３３】
カバー２６は、ハーネス収納空間３１を覆うことができるような形状に形成されている。カバー２６には、壁部２７の係止突起３７に引っ掛かり係止される枠状係止部３９が形成されている。カバー２６は、本体２４に対して嵌合（係止）する構造であることから、コネクタ接続の作業の際中に簡単に開いてしまわないようになっている。
【００３４】
カバー２６には、本体２４の押圧部２８と同様の第二押圧部４０が形成されている。また、カバー２６には、本体２４のズレ止め枠部２９と同様の第二ズレ止め枠部４１が形成されている。第二押圧部４０は、コネクタ接続の作業の際の押し込みの力をコネクタ２３に掛ける部分として形成されている。第二ズレ止め枠部４１は、コネクタ２３に取り付いた状態でコネクタ押し込みプロテクタ２１がズレてしまわないようにするために形成されている
【００３５】
カバー２６は、ハーネス収納空間３１に収納されるワイヤハーネス２２の端末をより良い状態で保護するために備えられている。また、カバー２６は、コネクタ押し込みプロテクタ２１自体の剛性を高めることができるように備えられている。さらに、カバー２６は、コネクタ接続の作業の際に作業者が摘み易い形状となるよう備えられている。
【００３６】
上記構成において、先ず、カバー２６を開いた状態でコネクタ押し込みプロテクタ２１をワイヤハーネス２２の端末に近づけ、このワイヤハーネス２２の端末を本体２４のハーネス収納空間３１に収納し、この後にカバー２６を本体２４に係止させて閉じる作業を行う。次に、コネクタ押し込みプロテクタ２１をワイヤハーネス２２に沿ってスライドさせ、本体２４の押圧部２８とカバー２６の第二押圧部４０とをコネクタハウジング３３の後側の壁に接触させる作業を行う（図４参照）。この時、ガタ付きがないか確認する。続いて、テープ４２によりテープ巻きを施し、ワイヤハーネス２２の端末とテープ巻き部３２とを固定する作業を行う。これにより、コネクタ押し込みプロテクタ２１のワイヤハーネス２２の端末及びコネクタ２３に対しての取り付けが完了する（コネクタＡＳＳＹ状態。図１参照）。
【００３７】
取り付けが完了した状態で作業者が本体２４の他端側を摘みながら、又はテープ巻き部３２とこれに固定されるワイヤハーネス２２とを摘みながらコネクタ接続部４に向けて真っ直ぐに差し込んでいく作業、すなわちコネクタ接続の作業を行うと、図５に示す如くコネクタ２３がコネクタ接続部４に接続される。これにより、一連の作業が完了する。
【００３８】
コネクタ２３は、コネクタ押し込みプロテクタ２１の取り付けによって全長が恰ものびたような状態になる。従って、このような状態でコネクタ接続の作業を行うと、コネクタ接続部４が電気接続箱本体１の奥深い位置に存在するような場合であっても、また、コネクタ接続部４の周囲に十分なスペースが無い場合であっても、簡単にコネクタ接続をすることができる（コネクタ押し込みプロテクタ２１によってコネクタ２３の全長が恰ものびると、図６に示す如くコネクタ接続部４の周囲の部品５、６と同様の高さとなる。従って、作業者の手が触るようなことがなく、当然に作業がし易くなるという効果を奏する）。本発明によれば、従来よりも格段に作業性を高めることができるという効果を奏する。
【００３９】
コネクタ押し込みプロテクタ２１は、図１や図４の取り付け状態からも分かるが、コネクタ２３を図５に示す如くコネクタ接続部４に対して完全に電気的な接続状態が得られるまで押し込みをすることができる構造になっている。従って、従来よりも接続に係る信頼性を高めることができるという効果も奏する。
【００４０】
図７は本発明のコネクタ押し込みプロテクタの他の一実施の形態を示す図であり、図７（ａ）はカバーを開いた状態の状態を示す斜視図、図７（ｂ）はコネクタＡＳＳＹ後の斜視図（ワイヤハーネスは省略）である。
【００４１】
他の一実施の形態となるコネクタ押し込みプロテクタ２１′は、上記形態に対して本体２４の壁部２７とカバー２６の高さがそれぞれ同じ分だけ低くなっている。また、コネクタ押し込みプロテクタ２１′は、テープ巻き部３２が一方の短辺対応壁３５にも設けられ、対をなすようになっている。このようなコネクタ押し込みプロテクタ２１′であっても上記同様の効果を奏するのは言うまでもない。一対のテープ巻き部３２に関しては、一方の短辺対応壁３５と他方の短辺対応壁３６とにそれぞれ連成されることから、作業者がこれら両方を摘むようにしてコネクタ接続の作業を行うと、押し込みの力の中心はコネクタ２３の中心軸上に略一致、若しくは近づくことになる。従って、テープ巻き部３２が一つの場合と比べて押し込みの力が偏り難くなり、結果、作業性や接続性を高めることができるという効果を奏する。尚、押し込みの力の中心がコネクタ２３の中心軸上に略一致したり近づいたりするようであれば、テープ巻き部３２の数を増やすことは当然に可能であるものとする（実際にテープ巻きを行わないテープ巻き部３２が出てくるが、摘み部としての機能を発揮することになる）。
【００４２】
図８は図７の変形例でありコネクタＡＳＳＹ後の斜視図（ワイヤハーネスは省略）である。図８において、一対のテープ巻き部３２は、本体２４の壁部２７の長辺対応壁３４とカバー２６とにそれぞれ設けられている。一対のテープ巻き部３２は、図７の説明の如く、作業性や接続性を高めることができる。図８や図７から、テープ巻き部３２の数や配置は様々であることが分かる。
【００４３】
図９ないし図１３を参照しながら本発明のコネクタ押し込みプロテクタの更に他の一実施の形態を説明する。図９は更に他の一実施の形態を示す斜視図である。また、図１０は図９の分解斜視図、図１１はコネクタに取り付く直前の状態を示す斜視図、図１２はコネクタに取り付いた状態を示す斜視図、図１３は図１２の断面図である。尚、上述の形態と基本的に同じ部分には同一の符号を付して説明を簡略化するものとする。
【００４４】
図９ないし図１３に示すコネクタ押し込みプロテクタ２１″は、ワイヤハーネスの端末及びコネクタに取り付くとこのコネクタの全長を擬似的にのばす本体２４と、カバー２６とを備えて構成されている。カバー２６は、ヒンジ２５を介して本体２４に一体化されている。本形態においては、特に、本体２４にロックアーム４３が形成されている点が特徴になっている。
【００４５】
本体２４は、三つの壁からなる略コ字状の壁部２７と、押圧部２８と、ズレ止め枠部２９と、ハーネス引き出し口３０と、ハーネス収納空間３１と、一方のテープ巻き部３２と、ロックアーム４３とを有している。本体２４は、壁部２７の高さやテープ巻き部３２を含めた高さが所望の高さとなるように形成されている。
【００４６】
壁部２７は、コネクタのコネクタハウジング４４の形状に合わせて形成されている。壁部２７は、長辺対応壁３４と、短辺対応壁３５、３６とを有している。一方の短辺対応壁３５には、ヒンジ２５を介してカバー２６が連成されている。また、他方の短辺対応壁３６には、カバー２６を係止するための係止突起３７が形成されている。
【００４７】
壁部２７の一端（図中では下側の端部）は、コネクタハウジング４４の後側の壁に接触する部分として形成されている。この壁部２７の一端は、本体２４の押圧部２８としても形成されている。押圧部２８は、コネクタ接続の作業の際の押し込みの力をコネクタ（コネクタハウジング４４）に掛ける部分としての機能を有している。ズレ止め枠部２９は、壁部２７の一端に連続するように、言い換えれば押圧部２８に連続するように形成されている。
【００４８】
壁部２７の他端（図中では上側の端部）は、壁部２７の形状から略コ字状に開口するようになっている。壁部２７の他端は、ワイヤハーネスの端末を引き出すためのハーネス引き出し口３０として形成されている。このようなハーネス引き出し口３０の開口縁には、一方のテープ巻き部３２が連成されている。一方のテープ巻き部３２は、長辺対応壁３４に連成されている。一方のテープ巻き部３２は、短冊状に形成されている。一方のテープ巻き部３２の先端には、押圧用の鍔部４５が形成されている。
【００４９】
ロックアーム４３は、図示の如くコネクタハウジング４４側に向けて真っ直ぐにのびるように形成されている。ロックアーム４３は、この基端部分が長辺対応壁３４の内面に連成されている。ロックアーム４３の先端には、係止爪４６が形成されている。ロックアーム４３は、押圧部２８とハーネス引き出し口３０との間に形成されるハーネス収納空間３１から突出してコネクタハウジング４４の空き端子収容室４７に差し込まれるようになっている。
【００５０】
ロックアーム４３は、空き端子収容室４７の位置に合わせて配置形成されている（空き端子収容室４７の位置は図中の位置に限らないものとする）。また、ロックアーム４３は、空き端子収容室４７の形状に合わせて略角柱状に形成されている。ロックアーム４３は、空き端子収容室４７に差し込まれると、空き端子収容室４７内のランス４８に係止爪４６が引っ掛かり係止されるようになっている。コネクタ押し込みプロテクタ２１″は、ロックアーム４３が空き端子収容室４７に差し込まれて係止されると、コネクタに対する位置ズレが防止されるようになっている。
【００５１】
カバー２６は、ハーネス収納空間３１を覆うことができるような形状に形成されている。カバー２６には、壁部２７の係止突起３７に引っ掛かり係止される枠状係止部３９が形成されている。カバー２６は、本体２４に対して嵌合（係止）する構造であることから、コネクタ接続の作業の際中に簡単に開いてしまわないようになっている。
【００５２】
カバー２６には、本体２４の押圧部２８と同様の第二押圧部４０が形成されている。また、カバー２６には、本体２４のズレ止め枠部２９と同様の第二ズレ止め枠部４１が形成されている。第二押圧部４０は、コネクタ接続の作業の際の押し込みの力をコネクタ（コネクタハウジング４４）に掛ける部分として形成されている。
【００５３】
カバー２６には、本体２４の一方のテープ巻き部３２と同じ他方のテープ巻き部３２が連成されている。他方のテープ巻き部３２は、一方のテープ巻き部３２に対向する位置に配置されている。他方のテープ巻き部３２もこの先端に押圧用の鍔部４５を有している。
【００５４】
上記構成において、先ず、カバー２６を開いた状態でコネクタ押し込みプロテクタ２１″をワイヤハーネスの端末に近づけ、このワイヤハーネスの端末を本体２４のハーネス収納空間３１に収納し、この後にカバー２６を本体２４に係止させて閉じる作業を行う。
【００５５】
次に、コネクタ押し込みプロテクタ２１″をワイヤハーネスに沿ってスライドさせ、本体２４の押圧部２８とカバー２６の第二押圧部４０とをコネクタハウジング４４の後側の壁に接触させる作業を行うとともに、ロックアーム４３をコネクタハウジング４４の空き端子収容室４７に差し込み係止させる作業を同時に行う。ロックアーム４３が空き端子収容室４７に差し込まれる過程においては、コネクタ押し込みプロテクタ２１″がコネクタハウジング４４の後側の壁に向けて真っ直ぐに案内される。コネクタ押し込みプロテクタ２１″は、ロックアーム４３が空き端子収容室４７のランス４８に係止（図１３参照）されると、コネクタに対する位置ズレが防止される。
【００５６】
続いて、テープ（４２。図１参照）によりテープ巻きを施し、ワイヤハーネスの端末とテープ巻き部３２とを固定する作業を行う。これにより、コネクタ押し込みプロテクタ２１″のワイヤハーネスの端末及びコネクタに対しての取り付けが完了する。
【００５７】
取り付けが完了した状態で作業者が本体２４の他端側を摘みながら、又はテープ巻き部３２とこれに固定されるワイヤハーネスとを摘みながら、或いはワイヤハーネスを摘んでテープ巻き部３２の鍔部４５を押しながら、コネクタ接続部４（図５参照）に向けて真っ直ぐに差し込んでいく作業、すなわちコネクタ接続の作業を行うと、コネクタがコネクタ接続部４に接続される。これにより、一連の作業が完了する。
【００５８】
本発明によれば、コネクタ押し込みプロテクタ２１″の取り付けによってコネクタの全長が恰ものびたような状態になる。従って、このような状態でコネクタ接続の作業を行うと、コネクタ接続部４が電気接続箱本体１（図５参照）の奥深い位置に存在するような場合であっても、また、コネクタ接続部４の周囲に十分なスペースが無い場合であっても、簡単にコネクタ接続をすることができる。従って、上述の形態のものと同様に作業性を高めることができるという効果を奏する。
【００５９】
コネクタ押し込みプロテクタ２１″は、コネクタをコネクタ接続部４に対して完全に電気的な接続状態が得られるまで押し込みをすることができる構造を有することから、接続に係る信頼性を高めることができるという効果も奏する。
【００６０】
その他、本発明は本発明の主旨を変えない範囲で種々変更実施可能なことは勿論である。
【００６１】
上記説明では電気接続箱を例に挙げていたが、これに限らずコネクタ固定用ブラケット等であっても良いものとする（本発明は、深い位置でコネクタ接続の作業を行う場合に有用なものであることから、電気接続箱に限定されないものとする）。
【図面の簡単な説明】
【００６２】
【図１】本発明のコネクタ押し込みプロテクタの一実施の形態を示す斜視図（コネクタＡＳＳＹ後の斜視図）である。
【図２】コネクタＡＳＳＹ前の状態を示す分解斜視図である。
【図３】カバーを開いた状態の状態を示す斜視図である。
【図４】コネクタＡＳＳＹ後の状態を示す断面図である。
【図５】コネクタ接続後の状態を示す斜視図である。
【図６】コネクタ接続部周囲の状態を示す斜視図である。
【図７】本発明のコネクタ押し込みプロテクタの他の一実施の形態を示す図であり、（ａ）はカバーを開いた状態の状態を示す斜視図、（ｂ）はコネクタＡＳＳＹ後の斜視図（ワイヤハーネスは省略）である。
【図８】図７の変形例でありコネクタＡＳＳＹ後の斜視図（ワイヤハーネスは省略）である。
【図９】本発明のコネクタ押し込みプロテクタの更に他の一実施の形態を示す斜視図である。
【図１０】図９の分解斜視図である。
【図１１】コネクタに取り付く直前の状態を示す斜視図である。
【図１２】コネクタに取り付いた状態を示す斜視図である。
【図１３】図１２の断面図である。
【図１４】従来例のコネクタ接続後の状態を示す斜視図である。
【図１５】図１４におけるワイヤハーネスが撓んだ状態を示す斜視図である。
【符号の説明】
【００６３】
２１、２１′、２１″  コネクタ押し込みプロテクタ
２２  ワイヤハーネス
２３  コネクタ
２４  本体
２５  ヒンジ
２６  カバー
２７  壁部
２８  押圧部
２９  ズレ止め枠部
３０  ハーネス引き出し口
３１  ハーネス収納空間
３２  テープ巻き部
３３  コネクタハウジング
３４  長辺対応壁
３５、３６  短辺対応壁
３７  係止突起
３８  ロッキングアーム保護部
３９  枠状係止部
４０  第二押圧部
４１  第二ズレ止め枠部
４２  テープ
４３  ロックアーム
４４  コネクタハウジング
４５  鍔部
４６  係止爪
４７  空き端子収容室
４８  ランス
【図１】
2008123794.tif 000003
【図２】
2008123794.tif 000004
【図３】
2008123794.tif 000005
【図４】
2008123794.tif 000006
【図５】
2008123794.tif 000007
【図６】
2008123794.tif 000008
【図７】
2008123794.tif 000009
【図８】
2008123794.tif 000010
【図９】
2008123794.tif 000011
【図１０】
2008123794.tif 000012
【図１１】
2008123794.tif 000013
【図１２】
2008123794.tif 000014
【図１３】
2008123794.tif 000015
【図１４】
2008123794.tif 000016
【図１５】
2008123794.tif 000017